(57)【要約】【課題】案内地点に関する情報表示について、画面上でずれて重なる吹き出し状表示の順序を切替え、選択したものを拡大表示することにより、地図表示も妨げないナビゲーション装置、方法及びプログラムを提供する。【解決手段】吹き出し状表示部は、設定されている前記経路前途の連続する所定数の各案内地点について、図を含む情報の吹き出し状表示を、直近一つを手前とし経路順に位置をずらして重なるように、前記地図上に表示する。順序入れ替え部は、入力部から与えられる操作に応じて順次、前記各吹き出し状表示を前記経路順に位置及び大きさを入れ替えて表示する。拡大表示部は、入力部から所定の選択操作が与えられると、その時点で前記吹き出し状表示が手前であった前記案内地点について、図を含む情報を表示部に拡大表示する。【選択図】　図４
2004117264.tif 000002
【特許請求の範囲】
【請求項１】
道路データと、交差点を含む案内地点のデータと、を記憶した記憶手段と、
与えられた目的地までの経路を前記道路データに基いて計算及び設定する手段と、
自車位置を逐次算出する手段と、
前記経路と前記自車位置とを含む周辺の地図を所定の表示部に表示する手段と、
をコンピュータが備え、車両を目的地へ誘導するナビゲーション装置において、
前記コンピュータが、
設定されている前記経路前途の連続する所定数の各案内地点について、図を含む情報の吹き出し状表示を、直近一つを手前とし経路順に位置をずらして重なるように、前記地図上に表示する手段と、
与えられる操作に応じて順次、前記各吹き出し状表示を前記経路順に位置及び大きさを入れ替えて表示する吹き出し状表示手段と、
所定の選択操作が与えられると、その時点で前記吹き出し状表示が手前であった前記案内地点について、図を含む情報を拡大表示する手段と、
を備えたことを特徴とするナビゲーション装置。
【請求項２】
前記吹き出し状表示手段は、前記各吹き出し状表示を、半透明で後方の表示物が透けて見えるように表示することを特徴とする請求項１記載のナビゲーション装置。
【請求項３】
前記地図は三次元表示であり、前記吹き出し状表示手段は、前記各吹き出し状表示を、前記地図の右上又は左上の領域に、地図の三次元表示に準じた消失点の遠近法に従って表示することを特徴とする請求項１又は２記載のナビゲーション装置。
【請求項４】
前記吹き出し状表示手段は、
前記吹き出し状表示に先立って、前記所定数の各案内地点について、前記拡大表示用のグラフィック画像データを生成しておき、
前記グラフィック画像データを縮小することによって前記吹き出し状表示における図とすることを特徴とする請求項１から３のいずれかに記載のナビゲーション装置。
【請求項５】
道路データと、交差点を含む案内地点のデータと、を記憶した記憶手段を備えたコンピュータが、
与えられた目的地までの経路を前記道路データに基いて計算及び設定し、
自車位置を逐次算出し、
前記経路と前記自車位置とを含む周辺の地図を所定の表示部に表示することにより、車両を目的地へ誘導するナビゲーション方法において、
前記コンピュータが、
設定されている前記経路前途の連続する所定数の各案内地点について、図を含む情報の吹き出し状表示を、直近一つを手前とし経路順に位置をずらして重なるように、前記地図上に表示し、
与えられる操作に応じて順次、前記各吹き出し状表示を前記経路順に位置及び大きさを入れ替えて表示し、
所定の選択操作が与えられると、その時点で前記吹き出し状表示が手前であった前記案内地点について、図を含む情報を拡大表示することを特徴とするナビゲーション方法。
【請求項６】
前記コンピュータは、前記各吹き出し状表示を、半透明で後方の表示物が透けて見えるように表示することを特徴とする請求項５記載のナビゲーション方法。
【請求項７】
前記地図は三次元表示であり、
前記コンピュータは、前記各吹き出し状表示を、前記地図の右上又は左上の領域に、地図の三次元表示に準じた消失点の遠近法に従って表示することを特徴とする請求項５又は６記載のナビゲーション方法。
【請求項８】
前記コンピュータは、
前記吹き出し状表示に先立って、前記所定数の各案内地点について、前記拡大表示用のグラフィック画像データを生成しておき、
前記グラフィック画像データを縮小することによって前記吹き出し状表示における図とすることを特徴とする請求項５から７のいずれかに記載のナビゲーション方法。
【請求項９】
道路データと、交差点を含む案内地点のデータと、を記憶した記憶手段を備えたコンピュータを制御することにより、
与えられた目的地までの経路を前記道路データに基いて計算及び設定させ、
自車位置を逐次算出させ、
前記経路と前記自車位置とを含む周辺の地図を所定の表示部に表示させることにより、車両を目的地へ誘導させるナビゲーションプログラムにおいて、
そのプログラムは前記コンピュータに、
設定されている前記経路前途の連続する所定数の各案内地点について、図を含む情報の吹き出し状表示を、直近一つを手前とし経路順に位置をずらして重なるように、前記地図上に表示させ、
与えられる操作に応じて順次、前記各吹き出し状表示を前記経路順に位置及び大きさを入れ替えて表示させ、
所定の選択操作が与えられると、その時点で前記吹き出し状表示が手前であった前記案内地点について、図を含む情報を拡大表示させることを特徴とするナビゲーションプログラム。
【請求項１０】
前記プログラムは前記コンピュータに、前記各吹き出し状表示を、半透明で後方の表示物が透けて見えるように表示させることを特徴とする請求項９記載のナビゲーションプログラム。
【請求項１１】
前記地図は三次元表示であり、
前記プログラムは前記コンピュータに、前記各吹き出し状表示を、前記地図の右上又は左上の領域に、地図の三次元表示に準じた消失点の遠近法に従って表示させることを特徴とする請求項９又は１０記載のナビゲーションプログラム。
【請求項１２】
前記プログラムは前記コンピュータに、
前記吹き出し状表示に先立って、前記所定数の各案内地点について、前記拡大表示用のグラフィック画像データを生成させておき、
前記グラフィック画像データを縮小することによって前記吹き出し状表示における図とさせることを特徴とする請求項９から１１のいずれかに記載のナビゲーションプログラム。
【発明の詳細な説明】
【０００１】
【発明の属する技術分野】
本発明は、案内地点に関する情報表示について、画面上でずれて重なる吹き出し状表示の順序を切替え、選択したものを拡大表示することにより、地図表示も妨げないナビゲーション装置、方法及びプログラムに関するものである。
【０００２】
【従来の技術】
近年、自動車とデジタル技術の普及に伴い、ナビゲーション装置、方法及びプログラムなどのナビゲーション技術が急速に進歩している。ナビゲーション技術は、指定された目的地への最適な経路を、予め用意した道路データに基づいて計算・設定し、自車位置をリアルタイムに検出して周辺地図と一緒に画面表示しながら、各交差点における右左折等の誘導案内を車両の進行に応じて画面表示や合成音声などで出力するものである。地図表示には、平面的な二次元表示のほか、車両を視点としたものや、車両斜め後ろ後方から俯瞰したものなどがある。
【０００３】
また、右左折を要する交差点や分岐点など、何らかの誘導案内を出力すべき案内地点について、前記地図の上に重ね、次のものの拡大図を表示したり、地図のうえに縮小図を並べ、所望のものを選択するとその拡大図を表示する例が従来から提案されている（例えば、特許文献１及び２。）。
【０００４】
【特許文献１】
特開平９−２８７９７３号公報
【特許文献２】
特開平１１−２８１３８５号公報
【０００５】
【発明が解決しようとする課題】
しかしながら、上記のような従来技術では、各縮小図が地図上に平面的に並び、縮小図の見やすさを優先して大きくすると本来の地図表示が隠れて見づらくなる問題があり、また、縮小図をカーソルで選択するときに、枠を点滅させたり枠の色を変えるくらいでは、カラフルな表示画面上では視覚的にわかりづらいなどの問題があった。
【０００６】
本発明は、上記のような従来技術の問題点を解決するために提案されたもので、その目的は、案内地点に関する情報表示について、画面上でずれて重なる吹き出し状表示の順序を切替え、選択したものを拡大表示することにより、地図表示も妨げないナビゲーション装置、方法及びプログラムを提供することである。
【０００７】
【課題を解決するための手段】
上記の目的を達成するため、請求項１の発明は、道路データと、交差点を含む案内地点のデータと、を記憶した記憶手段と、与えられた目的地までの経路を前記道路データに基いて計算及び設定する手段と、自車位置を逐次算出する手段と、前記経路と前記自車位置とを含む周辺の地図を所定の表示部に表示する手段と、をコンピュータが備え、車両を目的地へ誘導するナビゲーション装置において、前記コンピュータが、設定されている前記経路前途の連続する所定数の各案内地点について、図を含む情報の吹き出し状表示を、直近一つを手前とし経路順に位置をずらして重なるように、前記地図上に表示する手段と、与えられる操作に応じて順次、前記各吹き出し状表示を前記経路順に位置及び大きさを入れ替えて表示する吹き出し状表示手段と、所定の選択操作が与えられると、その時点で前記吹き出し状表示が手前であった前記案内地点について、図を含む情報を拡大表示する手段と、を備えたことを特徴とする。
【０００８】
請求項５の発明は、請求項１の発明を方法という見方から捉えたもので、道路データと、交差点を含む案内地点のデータと、を記憶した記憶手段を備えたコンピュータが、与えられた目的地までの経路を前記道路データに基いて計算及び設定し、自車位置を逐次算出し、前記経路と前記自車位置とを含む周辺の地図を所定の表示部に表示することにより、車両を目的地へ誘導するナビゲーション方法において、前記コンピュータが、設定されている前記経路前途の連続する所定数の各案内地点について、図を含む情報の吹き出し状表示を、直近一つを手前とし経路順に位置をずらして重なるように、前記地図上に表示し、与えられる操作に応じて順次、前記各吹き出し状表示を前記経路順に位置及び大きさを入れ替えて表示し、所定の選択操作が与えられると、その時点で前記吹き出し状表示が手前であった前記案内地点について、図を含む情報を拡大表示することを特徴とする。
【０００９】
請求項９の発明は、請求項１，５の発明をコンピュータのプログラムという見方から捉えたもので、道路データと、交差点を含む案内地点のデータと、を記憶した記憶手段を備えたコンピュータを制御することにより、与えられた目的地までの経路を前記道路データに基いて計算及び設定させ、自車位置を逐次算出させ、前記経路と前記自車位置とを含む周辺の地図を所定の表示部に表示させることにより、車両を目的地へ誘導させるナビゲーションプログラムにおいて、そのプログラムは前記コンピュータに、設定されている前記経路前途の連続する所定数の各案内地点について、図を含む情報の吹き出し状表示を、直近一つを手前とし経路順に位置をずらして重なるように、前記地図上に表示させ、与えられる操作に応じて順次、前記各吹き出し状表示を前記経路順に位置及び大きさを入れ替えて表示させ、所定の選択操作が与えられると、その時点で前記吹き出し状表示が手前であった前記案内地点について、図を含む情報を拡大表示させることを特徴とする。
【００１０】
これらの態様では、これから先の所定数の案内地点の吹き出し状表示が標識のごとく並び、その順序を操作で入れ替え、さらに選択したものを拡大表示できる。このため、縮小図を平面的に並べる従来と比べ、本来の地図表示を妨げない一方、拡大表示以前でも、順序を入れ替えて手前にしたものが比較的大きく見えるので交差点形状などの概略が容易に確認でき、情報の表示効率と操作性がいずれも大幅に改善される。
【００１１】
請求項２の発明は、請求項１記載のナビゲーション装置において、前記吹き出し状表示手段は、前記各吹き出し状表示を、半透明で後方の表示物が透けて見えるように表示することを特徴とする。
【００１２】
請求項６の発明は、請求項２の発明を方法という見方から捉えたもので、請求項５記載のナビゲーション方法において、前記コンピュータは、前記各吹き出し状表示を、半透明で後方の表示物が透けて見えるように表示することを特徴とする。
【００１３】
請求項１０の発明は、請求項２，６の発明をコンピュータのプログラムという見方から捉えたもので、請求項９記載のナビゲーションプログラムにおいて、前記プログラムは前記コンピュータに、前記各吹き出し状表示を、半透明で後方の表示物が透けて見えるように表示させることを特徴とする。
【００１４】
これらの態様では、各吹き出し状表示が半透明で後ろのものの表示内容もある程度わかり、各案内地点の状況把握が容易になるので、選択までに繰り返す順序の入れ替え操作が少なくて済み、操作性が向上する。
【００１５】
請求項３の発明は、請求項１又は２記載のナビゲーション装置において、前記地図は三次元表示であり、前記吹き出し状表示手段は、前記各吹き出し状表示を、前記地図の右上又は左上の領域に、地図の三次元表示に準じた消失点の遠近法に従って表示することを特徴とする。
【００１６】
請求項７の発明は、請求項３の発明を方法という見方から捉えたもので、請求項５又は６記載のナビゲーション方法において、前記地図は三次元表示であり、前記コンピュータは、前記各吹き出し状表示を、前記地図の右上又は左上の領域に、地図の三次元表示に準じた消失点の遠近法に従って表示することを特徴とする。
【００１７】
請求項１１の発明は、請求項３，７の発明をコンピュータのプログラムという見方から捉えたもので、請求項９又は１０記載のナビゲーションプログラムにおいて、前記地図は三次元表示であり、前記プログラムは前記コンピュータに、前記各吹き出し状表示を、前記地図の右上又は左上の領域に、地図の三次元表示に準じた消失点の遠近法に従って表示させることを特徴とする。
【００１８】
これらの態様では、表示位置が右上や左上であるから、俯瞰三次元表示の地図にとって最も邪魔にならず、しかも吹き出し状表示も三次元表示と同様の遠近法で手前ほど大きく表示されるので、自然な見やすい表示が実現される。
【００１９】
請求項４の発明は、請求項１から３のいずれかに記載のナビゲーション装置において、前記吹き出し状表示手段は、前記吹き出し状表示に先立って、前記所定数の各案内地点について、前記拡大表示用のグラフィック画像データを生成しておき、前記グラフィック画像データを縮小することによって前記吹き出し状表示における図とすることを特徴とする。
【００２０】
請求項８の発明は、請求項４の発明を方法という見方から捉えたもので、請求項５から７のいずれかに記載のナビゲーション方法において、前記コンピュータは、前記吹き出し状表示に先立って、前記所定数の各案内地点について、前記拡大表示用のグラフィック画像データを生成しておき、前記グラフィック画像データを縮小することによって前記吹き出し状表示における図とすることを特徴とする。
【００２１】
請求項１２の発明は、請求項４，８の発明をコンピュータのプログラムという見方から捉えたもので、請求項９から１１のいずれかに記載のナビゲーションプログラムにおいて、前記プログラムは前記コンピュータに、前記吹き出し状表示に先立って、前記所定数の各案内地点について、前記拡大表示用のグラフィック画像データを生成させておき、前記グラフィック画像データを縮小することによって前記吹き出し状表示における図とさせることを特徴とする。
【００２２】
これらの態様では、拡大表示用のグラフィック画像データを予め生成し、縮小版の吹き出し状表示の図にも縮小して用いるので、選択から拡大表示までの応答時間が大幅に短縮されることに加え、縮小した図の別途生成も不要となってＣＰＵの負荷が軽減される利点や、縮小した図と拡大図が正確に一致する利点も得られる。
【００２３】
【発明の実施の形態】
次に、本発明の実施の形態（以下「実施形態」と呼ぶ）について図面を参照して具体的に説明する。なお、本実施形態は、コンピュータをプログラムで制御することにより実現できるが、この場合のハードウェアやプログラムの実現態様は各種変更可能であるから、以下の説明では、本発明及び本実施形態の各機能を実現する仮想的回路ブロックを用いる。
【００２４】
〔１．構成〕
本実施形態は、図１に示すナビゲーション装置（以下「本装置」と呼ぶ）に関するものであるが、方法及びプログラム、そのようなプログラムを記録した記録媒体としても把握可能であって、そのようなプログラムをインターネットや携帯電話網などの通信ネットワーク経由で各車両のナビゲーション装置にダウンロードして実行させることも本発明の一態様である。
【００２５】
〔１−１．ナビゲーション装置の全体構成〕
まず、本装置は、コンピュータが、与えられた目的地までの経路を、予め用意された道路データに基いて探索及び設定し、その経路に沿った各案内を車両の進行に応じて順次出力することによって、車両を目的地へ誘導するナビゲーション装置であり、図１の機能ブロック図に示す下記の各要素を備えている。
【００２６】
すなわち、絶対位置・方位検出部１は、本装置が搭載された自動車（自車と呼ぶ）の現在位置すなわち自車位置（車両位置とも呼ぶ）について、地表での絶対的な位置座標や方位を計算するために、例えば、ＧＰＳ衛星から送られてくるＧＰＳ電波をアンテナやレシーバなどで受信するための部分である。また、相対方位検出部２は、ジャイロなどを使って自車の相対的な方位を検出するための部分である。また、車速検出部３は、自動車より得られる車速パルスを処理することで自車の速度を計算する部分である。
【００２７】
また、メインＣＰＵ及びその周辺回路４は、本装置全体を制御する制御回路の役割を果たす部分である。また、メモリ群Ｍは、本装置の動作に必要な各種のメモリで、例えば、プログラム格納用のＲＯＭ５は本装置の起動時にメインＣＰＵによりアクセスされる。また、ワークエリアなどを提供するダイナミックＲＡＭ（ＤＲＡＭ）６にはメインプログラムがロードされる。また、設定などの情報をバックアップするＳＲＡＭ（スタティックＲＡＭ）７はメイン電源がオフになっている間もバッテリーバックアップされ、オンになったときにメモリ内容を提供する。また、表示用のＶＲＡＭ（ビデオＲＡＭ）８は表示部１０に表示すべき画像のビットマップデータを格納する。
【００２８】
また、表示部１０は、地図や操作メニューなど各種の情報を、図示しない液晶表示画面に表示する部分であり、音声合成との併用が望ましい。また、入力部１１は、ユーザがスイッチなどから命令などの情報を入力するための部分であり、タッチセンサ機能、リモコンユニット、赤外線送受信ユニットなどを備える。また、ユーザインタフェース部９は、Ｉ／Ｏ制御回路やデバイスドライバなどを使って、表示部１０及び入力部１１と、メインＣＰＵ及びその周辺回路４とを結ぶユーザインタフェースである。
【００２９】
また、ＣＤ／ＤＶＤ−ＲＯＭ制御部１２は、ＣＤ−ＲＯＭやＤＶＤ−ＲＯＭに記録された各種データをデータベースから読み出す手段であり、経路探索用に道路のネットワーク構造を表す道路データ、地図表示用に道路周辺の目標物や施設などを表す地図情報、交差点を含む案内地点のデータ、といった必要なデータを記憶した記憶手段であり、案内地点データには、交差点への進入方向に応じたレーン情報が含まれる。
【００３０】
また、ＦＭ多重受信及び処理部１３は、ＦＭ放送波を受信しこの放送波からＶＩＣＳサービスの交通情報など所望のデータを取り出す処理を行う部分であり、交通情報は渋滞情報を含む。また、光／ビーコン受信及び処理部１４は、路肩などに設置された光ビーコンや電波ビーコンから、各ビーコンの識別情報やＶＩＣＳサービスの交通情報などの情報を受信及び処理する部分である。また、音声認識部１５は、入力されるユーザの発声から命令語などの単語を認識する部分である。
【００３１】
〔１−２．メインＣＰＵ及びその周辺回路の役割〕
さらに、メインＣＰＵ及びその周辺回路４は、上記のようなプログラムに基くコンピュータの自律的制御処理により、図１に示す下記の各部分としての役割を実現するように構成されている。すなわち、現在位置検出部４０は、自車位置を逐次算出する手段であり、具体的には、ＧＰＳ航法測位と自律航法測位とを組み合わせることで自車位置及び進行方向を計算するように構成される。
【００３２】
ここで、ＧＰＳ航法測位は、人工衛星からの電波に基づいて絶対位置・方位検出部１で得られる情報を使って現在位置を計算するものである。また、自律航法測位は、地磁気及び自車の速度に基づいて相対方位検出部２及び車速検出部３から得られる情報を使って現在位置を計算するものである。
【００３３】
また、目的地指定部４１は、データベースからの施設検索や地図上でのカーソル指定などにより目的地の入力を受け付ける手段であり、経路設定部４２は、入力された目的地までの経路を前記道路データに基いて計算及び設定する手段である。また、地図表示部４３は、算出された前記自車位置及び前記道路データに基づいて、前記経路と前記自車位置とを含む周辺の地図を、表示部１０に二次元や三次元表示などで表示する手段である。また、案内部４４は、誘導案内を表示部１０に出力する手段であり、強調表示や合成音声なども用いる。
【００３４】
また、吹き出し状表示部４５は、設定されている前記経路前途の連続する所定数の各案内地点について、図を含む情報の吹き出し状表示を、直近一つを手前とし経路順に位置をずらして重なるように、前記地図上に表示する吹き出し状表示手段である。また、順序入れ替え部４６は、入力部１１から与えられる操作に応じて順次、前記各吹き出し状表示を前記経路順に位置及び大きさを入れ替えて表示する手段である。また、拡大表示部４７は、入力部１１から所定の選択操作が与えられると、その時点で前記吹き出し状表示が手前であった前記案内地点について、図を含む情報を表示部１０に拡大表示する手段である。
【００３５】
〔２．作用〕
上記のように構成された本実施形態における処理手順を図２のフローチャートに示す。この処理手順は、説明のために、案内地点を交差点であるものとしたうえ、案内地点となる交差点が経路中にある場合、誘導開始前にその情報を表示する場合の流れを抽出したものである。
【００３６】
したがって、実際の処理はこの通りの必要は無く、例えば誘導開始後の任意の時点で、ユーザの自発的操作により、又は所定の条件が成立したときに、本発明による交差点情報の表示を行うようにしてもよい。
【００３７】
〔２−１．事前処理〕
まず、図２の処理手順では、経路設定部４２が、目的地の設定と経路計算（図３）を予め行うが（ステップ１）、吹き出し状表示に備え、吹き出し状表示部４５は、その経路計算中に経路上のすべての交差点について拡大表示などの案内に必要なデータ（「交差点データ」と呼ぶ）を、ＣＤ／ＤＶＤ−ＲＯＭ制御部１２からメモリー上に抽出しておく（ステップ２）。
【００３８】
〔２−２．吹き出し状表示〕
そして、案内地点となる交差点が、経路中にない場合は誘導開始画面へ移行するが（ステップ８）、ある場合は（ステップ３）、吹き出し状表示部４５は、抽出された交差点データに基き、その交差点の縮小図を含む情報を、漫画における吹き出しマークのような吹き出し状表示として、直近一つを手前とし経路順に位置をずらして重なるように、画面上に複数同時に表示する（図４）。
【００３９】
ここで、地図表示部４３が表示部１０に表示させる地図は三次元表示であるが、吹き出し状表示部４５は、前記各吹き出し状表示を、図４に示すように、前記地図の右上又は左上の領域に、地図の三次元表示に準じた消失点の遠近法に従って表示する。すなわち、各吹き出し状表示は、相互に重なるように、かつ、遠近法に従って遠いほど小さく表示される。また、吹き出し状表示部４５は、各吹き出し状表示を、半透明で後方の表示物が透けて見えるように表示する。
【００４０】
なお、表示の具体的な処理手順としては、例えば、一度に３つの吹き出し状表示を行う場合、ｎ＝１から（ステップ４）ｎ＋１，ｎ＋２までの交差点について、互いに１／３程度ずらし、ｎ＝１のものが一番手前になるように吹き出し状表示を行う（ステップ５）。
【００４１】
なお、望ましくは、前記吹き出し状表示に先立って、所定数の各案内地点について、拡大表示用のグラフィック画像データを生成しておき、吹き出し状表示は、予め生成したそれらのグラフィック画像データを縮小することによって行う。但し、この処理は必須ではなく、また、縮小表示用のグラフィック画像データも予め生成しておいてもよい。
【００４２】
〔２−３．表示順序の入れ替え〕
また、順序入れ替え部４６は、入力部１１から与えられる操作に応じて順次、前記各吹き出し状表示を前記経路順に位置及び大きさを入れ替えて表示する。すなわち、そして、「進む」「戻る」「実行」の各キーを、予め画面上に表示するか、又はリモコンの押しボタンなどに予め割り当てておく。
【００４３】
例えば、図４の状態では、画面中の交差点１が一番手前になっているが、この状態で「進む」「戻る」キーのうち「進む」キーを操作すると、ｎに１が加わり（ステップ６）交差点２が一番手前で、交差点３，４がその後ろに並んでいるように、互いに大きさと位置が変化して、重なって表示された状態になる。さらにもう一度、「進む」キーを操作すると、同様に今度は交差点３が一番手前となる。この動作は循環的でよい。なお、「戻る」キーを用いるかは実装者の自由であり、経路と逆順の切替えが望ましくない場合は用いなくてよい。
【００４４】
これら変化の過程をアニメーション表示すれば、表示の切り替わりがユーザにわかりやすくなり、また、変化に富んだ視覚効果により興味を刺激し満足感が深まる。
【００４５】
〔２−４．拡大表示〕
上記のように吹き出し状表示を更新し、任意のものを一番手前に表示した状態で、入力部１１から所定の選択操作が与えられると、拡大表示部４７は、その時点で前記吹き出し状表示が手前であった前記案内地点について、図を含む情報を表示部１０に拡大表示する（ステップ７）。すなわち、「実行」キー操作で、拡大表示部４７の作用により、一番手前に吹き出し状表示されている交差点が、図５のように画面全体又は相当の面積に拡大表示される。このときに右折車線、直進車線、左折車線などの並びを示すいわゆるレーン情報も同時に表示することが望ましい。
【００４６】
〔３．効果〕
以上のように、本実施形態では、これから先の所定数の案内地点の吹き出し状表示が標識のごとく並び、その順序を操作で入れ替え、さらに選択したものを拡大表示できる。このため、縮小図を平面的に並べる従来と比べ、本来の地図表示を妨げない一方、拡大表示以前でも、順序を入れ替えて手前にしたものが比較的大きく見えるので交差点形状などの概略が容易に確認でき、情報の表示効率と操作性がいずれも大幅に改善される。
【００４７】
また、本実施形態では、各吹き出し状表示が半透明で後ろのものの表示内容もある程度わかり、各案内地点の状況把握が容易になるので、選択までに繰り返す順序の入れ替え操作が少なくて済み、操作性が向上する。
【００４８】
また、本実施形態では、表示位置が右上や左上であるから、俯瞰三次元表示の地図にとって最も邪魔にならず、しかも吹き出し状表示も三次元表示と同様の遠近法で手前ほど大きく表示されるので、自然な見やすい表示が実現される。
【００４９】
また、本実施形態では、拡大表示用のグラフィック画像データを予め生成し、縮小版の吹き出し状表示の図にも縮小して用いるので、選択から拡大表示までの応答時間が大幅に短縮されることに加え、縮小した図の別途生成も不要となってＣＰＵの負荷が軽減される利点や、縮小した図と拡大図が正確に一致する利点も得られる。
【００５０】
〔４．他の実施形態〕
なお、本発明は上記実施形態に限定されるものではなく、次に例示するような他の実施形態も含むものである。例えば、上記実施形態では案内地点として交差点をあげたが、他にも分岐点や高速道路のインターチェンジなど、適用対象の種類は自由である。また、吹き出し状表示を半透明にすること、拡大表示の際のレーン情報などは省略可能である。また、少なくともＦＭ多重受信及び処理部１３、光／ビーコン受信及び処理部１４、音声認識部１５は省略可能であるし、図２の処理手順も従来知られた各種のプログラミング技法で組替え可能である。
【００５１】
【発明の効果】
以上のように、この発明によれば、案内地点に関する情報表示について、画面上でずれて重なる吹き出し状表示の順序を切替え、選択したものを拡大表示することにより、地図表示も妨げないナビゲーション装置、方法及びプログラムを提供することができる。
【図面の簡単な説明】
【図１】本発明の実施形態におけるナビゲーション装置の構成を示す機能ブロック図。
【図２】本発明の実施形態における処理手順を示すフローチャート。
【図３】本発明の実施形態における画面の表示例を示す図。
【図４】本発明の実施形態における吹き出し状表示の例を示す図。
【図５】本発明の実施形態における拡大表示の例を示す図。
【符号の説明】
１…絶対位置・方位検出部
２…相対方位検出部
３…車速検出部
４…メインＣＰＵ及びその周辺回路
５…ＲＯＭ
６…ＤＲＡＭ
７…ＳＲＡＭ
８…ＶＲＡＭ
９…ユーザインタフェース部
１０…表示部
１１…入力部
１２…ＣＤ／ＤＶＤ−ＲＯＭ制御部
１３…ＦＭ多重受信及び処理部
１４…光／ビーコン受信及び処理部
１５…音声認識部
４０…現在位置検出部
４１…目的地指定部
４２…経路設定部
４３…地図表示部
４４…案内制御部
４５…吹き出し状表示部
４６…順序入れ替え部
４７…拡大表示部
Ｍ…メモリ群
【図１】
2004117264.tif 000003
【図２】
2004117264.tif 000004
【図３】
2004117264.tif 000005
【図４】
2004117264.tif 000006
【図５】
2004117264.tif 000007